(57)【要約】ＲＲＣ  ＣＯＮＮＥＣＴＩＯＮ  ＲＥＱＵＥＳＴメッセージのためのメッセージ分離を利用する端末と基地局間の効果的なアクセス情報送受信方法は、ランダムアクセスプリアンブルを送信する段階、前記ランダムアクセスプリアンブルに対する応答としてＲＲＣ  ＣＯＮＮＥＣＴＩＯＮ  ＲＥＱＵＥＳＴメッセージの送信に利用される少なくとも１つの割り当てられた無線リソースに関する情報を含むランダムアクセス応答を受信する段階、前記ＲＲＣ  ＣＯＮＮＥＣＴＩＯＮ  ＲＥＱＵＥＳＴメッセージの送信のために少なくとも１つの要求される無線リソースを判断する段階、前記少なくとも１つの割り当てられた無線リソースと前記判断された少なくとも１つの要求される無線リソースの少なくとも１つの特徴を考慮して前記ＲＲＣ  ＣＯＮＮＥＣＴＩＯＮ  ＲＥＱＵＥＳＴメッセージを生成する段階、前記生成されたＲＲＣ  ＣＯＮＮＥＣＴＩＯＮ  ＲＥＱＵＥＳＴメッセージを送信する段階を含む。
2009540731.tif 000002
【特許請求の範囲】
【請求項１】
無線通信システムにおけるデータ通信方法において、
ランダムアクセスプリアンブルを送信する段階と、
前記ランダムアクセスプリアンブルに対する応答として、次のスケジュールされたデータ送信のために利用される少なくとも１つの割り当てられた無線リソースに関する情報を含むランダムアクセス応答を受信する段階と、
前記次のスケジュールされたデータの送信のための少なくとも１つの要求される無線リソースを判断する段階と、
前記少なくとも１つの割り当てられた無線リソースと前記判断された少なくとも１つの要求される無線リソースの少なくとも１つを考慮して前記次のスケジュールされたデータを生成する段階と、
を含むことを特徴とするデータ通信方法。
【請求項２】
前記次のスケジュールされたデータは、ＲＲＣ  ＣＯＮＮＥＣＴＩＯＮ  ＲＥＱＵＥＳＴメッセージであることを特徴とする請求項１に記載のデータ通信方法。
【請求項３】
前記次のスケジュールされたデータは、ＮＡＳ（NonAccess  Stratum）メッセージを含むことを特徴とする請求項１に記載のデータ通信方法。
【請求項４】
前記ＮＡＳメッセージは、Ａｔｔａｃｈ  Ｒｅｑｕｅｓｔ、Ｒｏｕｔｉｎｇ  Ａｒｅａ  Ｕｐｄａｔｅ  Ｒｅｑｕｅｓｔ、Ｄｅｔａｃｈ  Ｒｅｑｕｅｓｔ、及びＳｅｒｖｉｅ  Ｒｅｑｕｅｓｔの少なくとも１つであることを特徴とする請求項３に記載のデータ通信方法。
【請求項５】
前記次のスケジュールされたデータを生成する段階は、
前記判断された少なくとも１つの要求される無線リソースを前記少なくとも１つの割り当てられた無線リソースと比較する段階を含むことを特徴とする請求項１に記載のデータ通信方法。
【請求項６】
前記少なくとも１つの割り当てられた無線リソースが前記判断された少なくとも１つの要求される無線リソースより大きいか、同一である場合、前記少なくとも１つの割り当てられた無線リソースを利用して前記次のスケジュールされたデータを送信する段階をさらに含むことを特徴とする請求項５に記載のデータ通信方法。
【請求項７】
前記次のスケジュールされたデータを生成する段階は、
前記少なくとも１つの割り当てられた無線リソースが前記判断された少なくとも１つの要求される無線リソースより小さい場合、前記次のスケジュールされたデータを２つ以上のデータグループに分離する段階をさらに含むことを特徴とする請求項５に記載のデータ通信方法。
【請求項８】
各データグループを個別に送信する段階をさらに含むことを特徴とする請求項７に記載のデータ通信方法。
【請求項９】
第１データグループの前記次のスケジュールされたデータは、端末と基地局間の接続のための情報に関連し、第２データグループの前記次のスケジュールされたデータは、前記基地局と移動性管理エンティティ（ＭＭＥ）間の接続のための情報に関連することを特徴とする請求項７に記載のデータ通信方法。
【請求項１０】
基地局から端末への無線リソース制御（ＲＲＣ）信号は、どのデータグループに前記次のスケジュールされたデータのどの情報が含まれるかを指定することを特徴とする請求項７に記載のデータ通信方法。
【請求項１１】
どのデータグループに前記次のスケジュールされたデータのどの情報が含まれるかに関する情報は、前記端末から送信されるデータの量及び／又は前記ランダムアクセス応答内の割り当てられた無線リソースの量により判断されることを特徴とする請求項１０に記載のデータ通信方法。
【請求項１２】
前記ＲＲＣ信号は、システム情報又は呼び出しメッセージであることを特徴とする請求項１１に記載のデータ通信方法。
【請求項１３】
それぞれの分離されたデータグループは、情報のタイプを示すためのアイデンティティを含むことを特徴とする請求項７に記載のデータ通信方法。
【請求項１４】
前記少なくとも１つの割り当てられた無線リソース又は前記判断された少なくとも１つの要求される無線リソースは、１つ以上のビット数又は無線リソースを示すパラメータにより定義されることを特徴とする請求項１に記載のデータ通信方法。
【請求項１５】
前記次のスケジュールされたデータを生成する段階は、前記判断された少なくとも１つの要求される無線リソースを閾値で確認する段階を含むことを特徴とする請求項１に記載のデータ通信方法。
【請求項１６】
前記次のスケジュールされたデータを生成する段階は、前記判断された少なくとも１つの要求される無線リソースが前記閾値より小さい場合、前記判断された少なくとも１つの無線リソースを前記少なくとも１つの割り当てられた無線リソースと比較する段階をさらに含むことを特徴とする請求項１５に記載のデータ通信方法。
【請求項１７】
無線通信システムにおけるデータ通信方法において、
ランダムアクセスプリアンブルを受信する段階と、
前記受信されたランダムアクセスプリアンブルに対する応答として、次のスケジュールされたデータを端末が送信するための少なくとも１つの割り当てられた無線リソースに関する情報を含むランダムアクセス応答を送信する段階と、
前記次のスケジュールされたデータを前記端末から受信する段階とを含み、
ここで、前記端末は、前記次のスケジュールされたデータを送信するための少なくとも１つの要求される無線リソースを判断し、
前記次のスケジュールされたデータは、送信前に前記端末が少なくとも１つの割り当てられた無線リソースと前記判断された少なくとも１つの要求される無線リソースの少なくとも１つを考慮することにより生成されることを特徴とするデータ通信方法。
【請求項１８】
前記次のスケジュールされたデータは、ＲＲＣ  ＣＯＮＮＥＣＴＩＯＮ  ＲＥＱＵＥＳＴメッセージであることを特徴とする請求項１７に記載のデータ通信方法。
【請求項１９】
前記次のスケジュールされたデータに含まれるアイデンティティを確認することにより、前記次のスケジュールされたデータがＮＡＳメッセージを含んでいるか否かを判断する段階をさらに含むことを特徴とする請求項１８に記載のデータ通信方法。
【請求項２０】
前記アイデンティティは、前記次のスケジュールされたデータにどのグループの情報が含まれるかを示すために利用されることを特徴とする請求項１９に記載のデータ通信方法。
【請求項２１】
前記判断された少なくとも１つの要求される無線リソースは、前記次のスケジュールされたデータを前記端末が生成するために、前記少なくとも１つの割り当てられた無線リソースと比較されることを特徴とする請求項１７に記載のデータ通信方法。
【請求項２２】
前記次のスケジュールされたデータは、前記少なくとも１つの割り当てられた無線リソースが前記判断された少なくとも１つの要求される無線リソースより小さい場合、２つ以上のデータグループに分離され、各データグループは、個別に受信されることを特徴とする請求項２１に記載のデータ通信方法。
【請求項２３】
第１データグループの前記次のスケジュールされたデータは、前記端末と基地局間の接続のための情報に関連し、第２データグループの前記次のスケジュールされたデータは、前記基地局と移動性管理エンティティ（ＭＭＥ）間の接続のための情報に関連することを特徴とする請求項２２に記載のデータ通信方法。
【請求項２４】
どのデータグループに前記次のスケジュールされたデータのどの情報が含まれるかを指定するために、無線リソース制御（ＲＲＣ）信号を送信する段階をさらに含むことを特徴とする請求項２２に記載のデータ通信方法。
【請求項２５】
前記ＲＲＣ信号は、システム情報又は呼び出しメッセージであることを特徴とする請求項２４に記載のデータ通信方法。
【請求項２６】
それぞれの分離されたデータグループは、情報のタイプを示すためのアイデンティティを含むことを特徴とする請求項２２に記載のデータ通信方法。
【請求項２７】
前記判断された少なくとも１つの要求される無線リソースが閾値と比較され、前記判断された少なくとも１つの要求される無線リソースが前記閾値より小さい場合、前記判断された少なくとも１つの要求される無線リソースは、前記次のスケジュールされたデータを前記端末が生成するために前記少なくとも１つの割り当てられた無線リソースと比較されることを特徴とする請求項１７に記載のデータ通信方法。
【請求項２８】
前記少なくとも１つの割り当てられた又は前記判断された少なくとも１つの要求される無線リソースは、１つ以上のビット数又は無線リソースを示すパラメータにより定義されることを特徴とする請求項１７に記載のデータ通信方法。
【請求項２９】
無線通信システムにおけるデータ通信のための移動端末において、
前記データを送受信する送受信機と、
前記送受信機を介して、又は、外部リソースから送受信された前記データを保存するメモリと、
前記送受信機及び前記メモリと連動し、
ランダムアクセスプリアンブルを送信する段階、
前記ランダムアクセスプリアンブルに対する応答として、次のスケジュールされたデータを送信するために利用される少なくとも１つの割り当てられた無線リソースに関する情報を含むランダムアクセス応答を受信する段階、
前記次のスケジュールされたデータを送信するために少なくとも１つの要求される無線リソースを判断する段階、
及び前記少なくとも１つの割り当てられた無線リソースと前記判断された少なくとも１つの要求される無線リソースの少なくとも１つを考慮して前記次のスケジュールされたデータを生成する段階を行うプロセッサとを含むことを特徴とする移動端末。
【発明の詳細な説明】
【技術分野】
【０００１】
本発明は、Ｅ−ＵＭＴＳ（Evolved  Universal  Mobile  Telecommunications  System）に関し、より詳しくは、ＲＲＣ  ＣＯＮＮＥＣＴＩＯＮ  ＲＥＱＵＥＳＴメッセージのためのメッセージ分離を利用して端末と基地局間に効率的にアクセス情報を送受信する方法に関する。
【発明の開示】
【課題を解決するための手段】
【０００２】
図１は、従来技術及び本発明に適用可能な移動通信システムのＥ−ＵＭＴＳのネットワーク構造である。
【０００３】
前記Ｅ−ＵＭＴＳシステムは、既存のＵＭＴＳシステムから進化したシステムであり、これに適用可能な基本的標準化が３ＧＰＰで行われている。前記Ｅ−ＵＭＴＳシステムはＬＴＥ（Long  Term  Evolution）システムに分類される。
【０００４】
図１を参照すると、Ｅ−ＵＭＴＳネットワークは、Ｅ−ＵＴＲＡＮ（Evolved  UMTS  terrestrial  radio  access  network）とコアネットワーク（Core  Network：ＣＮ）とに区分される。前記Ｅ−ＵＴＲＡＮは、端末（ＵＥ（ユーザ装置））、基地局（ｅＮｏｄｅ  Ｂ又はｅＮＢ）、及びＡＧ（Access  Gateway））（「ＭＭＥ／Ｓ−ＧＷ」とも表現できる）を含む。前記ＡＧは、ユーザトラフィックを処理するための部分と制御トラフィックを処理するため部分とに分けられる。新しいユーザトラフィックを処理するためのＡＧ部分と制御トラフィックを処理するためのＡＧ部分は、新しく定義されるインタフェースを介して互いに通信できる。１つのｅＮｏｄｅ  Ｂ（ｅＮＢ）には１つ以上のセルが存在し、前記ｅＮｏｄｅ  Ｂ間では、前記ユーザトラフィック及び前記制御トラフィックの伝送のためのインタフェースが利用できる。
【０００５】
前記ＣＮは、ＡＧ、前記ＵＥのユーザ登録のためのノードなどを含む。インタフェースは、また、図１のＵＭＴＳにおいては、前記Ｅ-ＵＴＲＡＮと前記ＣＮを区別するためのインタフェースが利用できる。Ｓ１インタフェースは、前記ｅＮｏｄｅ  Ｂと前記ＡＧ間の複数のノードを（すなわち、多対多（Many  to  Many）方式で）接続できる。前記ｅＮｏｄｅＢは、Ｘ２インタフェースを介して互いに接続され、前記Ｘ２インタフェースは、メッシュネットワーク構造で隣接するｅＮｏｄｅＢ間に常に存在する。
【０００６】
前記ＵＥとネットワーク間の無線インタフェースプロトコルの階層は、通信システムにおいて公知の開放型システム間相互接続（ＯＳＩ）参照モデルの下位３層に基づいて第１層（Ｌ１）、第２層（Ｌ２）、及び第３層（Ｌ３）に区分される。
【０００７】
前記第１層（Ｌ１）は、物理チャネルを利用して情報送信サービスを提供し、前記第３層に位置する無線リソース制御（ＲＲＣ）層は、端末とネットワーク間の無線リソースを制御する役割を果たし、このために、前記ＲＲＣ層は、前記端末と前記ネットワーク間でＲＲＣメッセージを交換する。前記ＲＲＣ層は、ｅＮｏｄｅ  Ｂ及び前記ＡＧなどのネットワークノードに位置させるために分散することもでき、前記ｅＮｏｄｅ  Ｂ又は前記ＡＧにのみ位置させることもできる。
【０００８】
図２は、多様な３ＧＰＰ無線アクセスネットワーク規格に基づいた端末とＵＴＲＡＮ間の無線アクセスインタフェースプロトコルの構造を示す。
【０００９】
無線インタフェースプロトコルは、物理層、データリンク層、及びネットワーク層を含む水平層と、データ情報を伝送するユーザプレーン及び制御信号を伝送する制御プレーンを含む垂直プレーンとから構成される。
【００１０】
前記プロトコル層は、通信システムにおいて公知の開放型システム間相互接続（ＯＳＩ）参照モデルの下位３層に基づいて第１層（Ｌ１）、第２層（Ｌ２）、及び第３層（Ｌ３）に区分される。以下、図２に示す無線プロトコルの制御プレーンと図３に示す無線プロトコルのユーザプレーンの各層について説明する。
【００１１】
第１層である物理層は、物理チャネルを利用して上位層に情報送信サービスを提供する。前記物理層は、トランスポートチャネルで上位に位置する媒体アクセス制御（Medium  Access  Control：ＭＡＣ）層に接続される。データは、トランスポートチャネルで前記ＭＡＣ層と前記物理層間で送信される。また、データは、相異なる物理層間、すなわち、送信側の物理層と受信側の物理層間で物理チャネルを介して送信される。
【００１２】
前記第２層のＭＡＣ層は、論理チャネルで上位層である無線リンク制御（Radio  Link  Control：ＲＬＣ）層にサービスを提供する。前記第２層の前記ＲＬＣ層は、信頼性のあるデータ送信をサポートする。前記ＲＬＣ機能が前記ＭＡＣ層内部の機能ブロックとして実現でき、この場合、前記ＲＬＣ層は存在しない可能性がある。前記第２層のパケットデータコンバージェンスプロトコル（Packet  Data  Convergence  Protocol：ＰＤＣＰ）層は、ＩＰｖ４やＩＰｖ６などのＩＰパケットを利用して送信されるデータを相対的に帯域幅が小さい無線インタフェースを介して効率的に送信するために、不要な制御情報を小さくするためのヘッダ圧縮機能を行う。
【００１３】
前記第３層の最下部に位置する無線リソース制御（ＲＲＣ）層は、制御プレーンにおいてのみ定義され、無線ベアラ（Radio  Bearer：ＲＢ）の設定、再設定、及び解除に関連して論理チャネル、トランスポートチャネル、及び物理チャネルを制御する。ここで、前記ＲＢは、前記端末と前記ＵＴＲＡＮ間のデータ送信のために前記第２層（Ｌ２）により提供されるサービスである。
【００１４】
ネットワークから移動端末にデータを伝送するためのダウンリンクトランスポートチャネルとしては、システム情報の送信のためのブロードキャストチャネル（Broadcast  Channel：ＢＣＨ）及びユーザトラフィックや制御メッセージの送信のためのダウンリンク共有チャネル（Shared  Channel：ＳＣＨ）がある。ダウンリンクマルチキャスト、ブロードキャストサービスのトラフィック又は制御メッセージは、ダウンリンクＳＣＨで、又は別途のダウンリンクマルチキャストチャネル（Multicast  Channel：ＭＣＨ）で送信できる。
【００１５】
移動端末からネットワークにデータを伝送するためのアップリンクトランスポートチャネルとしては、初期制御メッセージの送信のためのランダムアクセスチャネル（Random  Access  Channel：ＲＡＣＨ）とユーザトラフィック又は制御メッセージの送信のためのアップリンク共有チャネル（ＳＣＨ）がある。
【００１６】
以下、ＲＲＣ接続及びシグナリング接続について詳細に説明する。通信を行うために、端末（ＵＥ）は、ＵＴＲＡＮとのＲＲＣ接続及びコアネットワーク（ＣＮ）とのシグナリング接続を有する必要がある。前記端末は、前記ＲＲＣ接続及び前記シグナリング接続により端末の制御情報を前記ＵＴＲＡＮ又は前記ＣＮと送信及び／又は受信する。
【００１７】
以下、ＷＣＤＭＡのＲＡＣＨ（Random  Access  Channel）について詳細に説明する。
【００１８】
前記ＲＡＣＨは、アップリンクで短いデータを送信するために利用され、ＲＲＣメッセージ（すなわち、ＲＲＣ  ＣＯＮＮＥＣＴＩＯＮ  ＲＥＱＵＥＳＴメッセージ、セル更新メッセージ、ＵＲＡ更新メッセージ）の一部も前記ＲＡＣＨで送信される。前記ＲＡＣＨは、ＣＣＣＨ（Common  Control  Channel）、ＤＣＣＨ（Dedicated  Control  Channel）、及びＤＴＣＨ（Dedicated  Traffic  Channel）にマッピングされた後、ＰＲＡＣＨ（Physical  Random  Access  Channel）にマッピングされる。
【００１９】
アップリンク物理チャネルであるＰＲＡＣＨは、プリアンブル部分とメッセージ部分とに分けられる。前記プリアンブル部分は、メッセージ送信のための送信電力を適切に制御するために利用され（すなわち、電力ランピング機能）、複数の端末間の衝突を防止するために利用される。前記メッセージ部分は、前記ＭＡＣから前記物理チャネルに伝達されたＭＡＣ  ＰＤＵの送信のために利用される。
【００２０】
前記端末のＭＡＣが前記端末の物理層にＰＲＡＣＨ送信を指示すると、前記端末の物理層は、まず１つのアクセススロットと１つの（プリアンブル）シグネチャを選択し、前記プリアンブルを前記ＰＲＡＣＨでアップリンクに送信する。ここで、前記プリアンブルは、アクセススロット区間の特定長さ（例えば、１．３３ｍｓ）内で送信される。前記アクセススロットの最初の所定長さ内で１６個の異なるシグネチャのいずれか１つのシグネチャを選択して送信する。
【００２１】
前記プリアンブルが前記端末から送信される場合、基地局は、ダウンリンク物理チャネルであるＡＩＣＨ（Acquisition  Indicator  Channel）で応答信号を送信する。前記プリアンブルに対する応答として、前記ＡＩＣＨは、前記アクセススロットの最初の所定長さ内で選択されたシグネチャを送信する。ここで、前記基地局は、前記ＡＩＣＨから送信されたシグネチャによりＡＣＫ応答又はＮＡＣＫ応答を端末に送信する。
【００２２】
前記ＡＣＫ応答を受信すると、前記端末は、前記送信されたシグネチャに対応するＯＶＳＦコードを利用して１０ｍｓ又は２０ｍｓの長さのメッセージ部分を送信する。前記ＮＡＣＫ応答を受信すると、前記端末のＭＡＣは、所定時間後に端末の物理層に再びＰＲＡＣＨ送信を指示する。また、前記送信されたプリアンブルに対してＡＩＣＨが受信されなかった場合、前記端末は、予め決定されたアクセススロット後に以前のプリアンブルに利用された電力より高い電力で新しいプリアンブルを送信する。
【００２３】
以下、ＬＴＥシステムにおいて、端末（ＵＥ）からネットワークへの初期アクセス／接続過程について詳細に説明する。
【００２４】
図４に示すように、ＵＥは、ｅＮＢのＲＲＣ信号から送信されたシステム情報により利用可能なランダムアクセスシグネチャ（Random  Acess  Signature）及びランダムアクセス機会（Random  Acess  Occasion）を選択してｅＮＢにランダムアクセスプリアンブル（メッセージ１ともいう）を送信する（Ｓ１）。前記ｅＮＢは、前記ランダムアクセスプリアンブル（メッセージ１）を正常に受信した後、ランダムアクセス応答（メッセージ２ともいう）を前記ＵＥに送信する（Ｓ２）。前記ランダムアクセス応答（メッセージ２）は、前記ｅＮＢとのアップリンク時間同期（又は、ＴＡ（Time  Advance））情報、Ｃ−ＲＮＴＩ（該当セルで該当ＵＥの識別に利用される）、又はＲＲＣ  ＣＯＮＮＥＣＴＩＯＮ  ＲＥＱＵＥＳＴメッセージ送信のためのアップリンク無線リソース割り当て情報（すなわち、初期承認）などを含む。前記ＵＥは、前記ランダムアクセス応答（メッセージ２）を受信した後、前記ランダムアクセス応答に含まれる割り当てられた無線リソース情報によってＲＲＣ  ＣＯＮＮＥＣＴＩＯＮ  ＲＥＱＵＥＳＴメッセージ（メッセージ３ともいう）を送信する（Ｓ３）。前記ｅＮＢは、前記ＵＥから前記ＲＲＣ  ＣＯＮＮＥＣＴＩＯＮ  ＲＥＱＵＥＳＴメッセージ（メッセージ３）を受信した後、ＲＲＣ衝突解決メッセージ（メッセージ４ともいう）を前記ＵＥに送信する。
【００２５】
従来技術において、前記ＵＥは、一般的にメッセージ３を送信するために必要なアップリンク無線リソース情報をメッセージ２により取得する。すなわち、前記ｅＮＢは、前記ＵＥがメッセージ３を送信するために必要な無線リソース（すなわち、時間、周波数、送信フォーマットなど）の量を前記ＵＥが送信したメッセージ１に基づいて判断し、割り当てられた無線リソースをメッセージ２と共に送信する。
【００２６】
しかしながら、この点において、前記ＵＥからのメッセージ１に含まれる情報の量には限界があるため、前記ｅＮＢがメッセージ３を送信するために正確な無線リソース割り当て量を推定することができないという問題がある。従って、前記ｅＮＢがＵＥに適切な無線リソース割り当て（メッセージ３を送信するために利用される）を提供できない場合、図５に示すように、メッセージ３のための無線リソースの不足現象により、データ送信のための時間遅延又は無線リソースの浪費が発生する可能性がある。
【００２７】
本発明の１つの例示的な特徴は、無線移動通信システムにおいてメッセージ分離を利用して無線アクセス情報を送受信する方法を提供することにある。
【００２８】
少なくとも前述した特徴の全部又は一部を実現するために、本発明は、無線通信システムにおけるデータ通信方法を提供し、前記方法は、ランダムアクセスプリアンブルを送信する段階と、前記ランダムアクセスプリアンブルに対する応答として、次のスケジュールされたデータ送信のために利用される少なくとも１つの割り当てられた無線リソースに関する情報を含むランダムアクセス応答を受信する段階と、前記次のスケジュールされたデータの送信のための少なくとも１つの要求される無線リソースを判断する段階と、前記少なくとも１つの割り当てられた無線リソースと前記判断された少なくとも１つの要求される無線リソースの少なくとも１つの特徴を考慮して前記次のスケジュールされたデータを生成する段階とを含む。
【００２９】
前記次のスケジュールされたデータは、ＲＲＣ  ＣＯＮＮＥＣＴＩＯＮ  ＲＥＱＵＥＳＴメッセージ又は初期アップリンク承認であり、前記次のスケジュールされたデータは、Ａｔｔａｃｈ  Ｒｅｑｕｅｓｔ、Ｒｏｕｔｉｎｇ  Ａｒｅａ  Ｕｐｄａｔｅ  Ｒｅｑｕｅｓｔ、Ｄｅｔａｃｈ  Ｒｅｑｕｅｓｔ、及びＳｅｒｖｉｃｅ  ＲｅｑｕｅｓｔなどのＮＡＳ（NonAccess  Stratum）メッセージを含む。
【００３０】
端末により前記次のスケジュールされたデータを生成する場合、前記判断された少なくとも１つの要求される無線リソースを前記少なくとも１つの割り当てられた無線リソースと比較できる。前記次のスケジュールされたデータは、前記少なくとも１つの割り当てられた無線リソースが前記判断された少なくとも１つの要求される無線リソースより小さい場合、２つ以上のデータグループに分離されて生成され、基地局に個別に送信される。
【００３１】
前記基地局から端末への無線リソース制御ＲＲＣ信号は、どのデータグループに前記次のスケジュールされたデータのどの情報が含まれる必要があるかを指定し、前記ＲＲＣ信号は、システム情報又は呼び出しメッセージでもよい。また、それぞれの分離されたデータグループは、それぞれの分離されたデータグループの前記次のスケジュールされたデータに含まれる情報のタイプを示すためのアイデンティティを含む。
【００３２】
また、端末により前記次のスケジュールされたデータを生成する場合、前記判断された少なくとも１つの要求される無線リソースを所定の閾値と比較できる。この比較を行った後、前記判断された少なくとも１つの要求される無線リソースが前記閾値より小さい場合、前記判断された少なくとも１つの要求される無線リソースは、前記次のスケジュールされたデータを生成するための前記少なくとも１つの割り当てられた無線リソースと比較される必要がある。
【００３３】
また、本発明は、無線通信システムにおけるデータ通信方法を提供し、前記方法は、ランダムアクセスプリアンブルを受信する段階と、前記受信されたランダムアクセスプリアンブルに対する応答として、次のスケジュールされたデータを端末が送信するための少なくとも１つの割り当てられた無線リソースに関する情報を含むランダムアクセス応答を送信する段階と、前記次のスケジュールされたデータを前記端末から受信する段階とを含み、ここで、前記端末は、前記次のスケジュールされたデータを送信するための少なくとも１つの要求される無線リソースを判断し、前記次のスケジュールされたデータは、送信前に前記端末が少なくとも１つの割り当てられた無線リソースと前記判断された少なくとも１つの要求される無線リソースの少なくとも１つの特徴を考慮することにより生成される。
【００３４】
また、本発明は、無線通信システムにおけるデータ通信のための移動端末を提供し、前記移動端末は、前記データを送受信する送受信機と、前記送受信機を介して、又は、外部リソースから送受信された前記データを保存するメモリと、前記送受信機及び前記メモリと連動し、ランダムアクセスプリアンブルを送信する段階、前記ランダムアクセスプリアンブルに対する応答として、次のスケジュールされたデータを送信するために利用される少なくとも１つの割り当てられた無線リソースに関する情報を含むランダムアクセス応答を受信する段階、前記次のスケジュールされたデータを送信するために少なくとも１つの要求される無線リソースを判断する段階、及び前記少なくとも１つの割り当てられた無線リソースと前記判断された少なくとも１つの要求される無線リソースの少なくとも１つの特徴を考慮して前記次のスケジュールされたデータを生成する段階を行うプロセッサとを含む。
【００３５】
本発明の目的、特徴、態様、及び長所は、後述する発明の詳細な説明及び添付図面によりさらに明確になるであろう。
【００３６】
発明の理解を容易にするために添付され、本明細書の一部を構成する図面は、本発明の多様な実施形態を示し、明細書と共に本発明の原理を説明する。
【発明を実施するための最良の形態】
【００３７】
本発明の一態様は、前述したような従来技術の問題及び欠点に関する本発明者らの知見に基づくものであり、以下に詳細に説明する。このような知見に基づいて、本発明を完成するに至った。
【００３８】
本発明が３ＧＰＰ仕様に準拠して開発されたＵＭＴＳのような移動通信システムにおいて実現されると説明されているが、本発明は、多様な標準及び仕様に準拠して動作する他の通信システムにも適用できる。
【００３９】
ネットワーク技術が発展するにつれて、将来のネットワークではＲＮＣが必要なくなると予想される。これは、向上した能力を有するＮｏｄｅ  Ｂ又は他のタイプのネットワークエンティティ（例えば、いわゆるアクセスゲートウェイ）が現存のＲＮＣにより行われる動作を処理できるためである。このような長期的発展（long  term  evolution）問題は、新しい端末を承認（又は、新しいユーザリンクを設定）し、ネットワークにより管理される複数の端末のために新しく開発されている向上したサービスをサポートするために利用される、向上した無線承認制御技術を開発する必要性をサポートする。
【００４０】
本発明は、端末（ＵＥ）から基地局（ｅＮＢ）に効果的にデータ（すなわち、アクセス情報）を送信するための方法を提供する。より詳しくは、本発明は、前記端末が前記基地局により割り当てられるアップリンク無線リソースに基づいたアクセス情報（すなわち、ＲＲＣ  ＣＯＮＮＥＣＴＩＯＮ  ＲＥＱＵＥＳＴメッセージ）を適切に設定又は生成した後、前記基地局に送信して、送信効率を最適化（すなわち、最小の時間遅延、効率的な無線リソースの利用）する。
【００４１】
好ましくは、前記アップリンク無線リソースは、前記メッセージ３を送信するために利用され、前記アップリンク無線リソースに関する情報は、前記メッセージ２により前記基地局から前記端末に提供される。
【００４２】
好ましくは、前記メッセージ３は、ＲＲＣ  ＣＯＮＮＥＣＴＩＯＮ  ＲＥＱＵＥＳＴメッセージである。
【００４３】
好ましくは、前記メッセージ３は、ＮＡＳ（NonAccess  Stratum）メッセージ（すなわち、Ａｔｔａｃｈ  Ｒｅｑｕｅｓｔ、Ｒｏｕｔｉｎｇ  Ａｒｅａ  Ｕｐｄａｔｅ  Ｒｅｑｕｅｓｔ、Ｄｅｔａｃｈ  Ｒｅｑｕｅｓｔ、Ｓｅｒｖｉｃｅ  Ｒｅｑｕｅｓｔなど）の一部又は全部を含む。
【００４４】
以下、本発明により、端末によるＲＲＣ  ＣＯＮＮＥＣＴＩＯＮ  ＲＥＱＵＥＳＴメッセージの生成又は設定方法について詳細に説明する。
【００４５】
前記メッセージ２により受信された割り当てられた無線リソースのためのビット数（又は、無線リソースを示す他のパラメータ）が、前記ＲＲＣ  ＣＯＮＮＥＣＴＩＯＮ  ＲＥＱＵＥＳＴメッセージ（メッセージ３）を生成するために必要な情報のビット数より大きいか同一である場合、前記端末は、全ての必要な情報を含むＲＲＣ  ＣＯＮＮＥＣＴＩＯＮ  ＲＥＱＵＥＳＴメッセージを生成して前記基地局に送信する。
【００４６】
図６は、前記ｅＮＢによる無線リソースの提供又は割り当てが十分な場合のＲＲＣ接続手順を示す。
【００４７】
図６を参照すると、端末（ＵＥ）は、基地局（ｅＮＢ）とのＲＲＣ接続のためにランダムアクセスプリアンブルを送信することもできる（Ｓ１）。前記基地局は、前記送信されたランダムアクセスプリアンブルに対する応答として、ランダムアクセス応答を前記端末に送信することもできる（Ｓ２）。ここで、前記ランダムアクセス応答は、前記端末によるＲＲＣ  ＣＯＮＮＥＣＴＩＯＮ  ＲＥＱＵＥＳＴメッセージ送信のためのアップリンク無線リソース割り当て情報を含むこともできる。
【００４８】
前記端末は、前記ランダムアクセス応答を受信した後、前記ランダムアクセス応答に含まれる前記アップリンク無線リソースを確認し、前記ＲＲＣ  ＣＯＮＮＥＣＴＩＯＮ  ＲＥＱＵＥＳＴメッセージ送信のために必要なビット数を計算又は判断することもできる。すなわち、送信される必要のあるビットの数で前記基地局から割り当てられた無線リソースの量を計算又は判断した後、前記ＲＲＣ  ＣＯＮＮＥＣＴＩＯＮ  ＲＥＱＵＥＳＴメッセージの送信のために必要な情報が前記割り当てられた無線リソースにより送信できる場合、前記端末は、全ての必要な情報を含む前記ＲＲＣ  ＣＯＮＮＥＣＴＩＯＮ  ＲＥＱＵＥＳＴメッセージを生成することもできる（Ｓ３）。この場合、前記ＲＲＣ  ＣＯＮＮＥＣＴＩＯＮ  ＲＥＱＵＥＳＴメッセージは、前記端末と基地局間の接続に必要な情報だけでなく、前記基地局とＭＭＥ（Mobility  Management  Entity）間の接続（すなわち、Ｓ１接続）に必要な情報を含むこともできる。また、前記割り当てられた無線リソースの量を計算する必要がない場合もある。すなわち、前記ＲＲＣ  ＣＯＮＮＥＣＴＩＯＮ  ＲＥＱＵＥＳＴメッセージ送信に必要なビット数が所定の閾値以下である場合、そのメッセージは、計算段階を経ずに、メッセージ２により割り当てられた無線リソースを利用して直ちに送信できる。ここで、前記閾値は、システム情報又は呼び出しメッセージにより前記基地局から前記端末に提供できる。
【００４９】
前記ＲＲＣ  ＣＯＮＮＥＣＴＩＯＮ  ＲＥＱＵＥＳＴメッセージの生成後に、前記端末は、前記ＲＲＣ  ＣＯＮＮＥＣＴＩＯＮ  ＲＥＱＵＥＳＴメッセージを前記基地局に送信することもできる（Ｓ４）。同時に、同一のプリアンブル（シグネチャ）を有する異なる端末間の衝突を迅速に解消するために、前記基地局は、ＲＲＣ  ＣＯＮＴＥＮＴＩＯＮ  ＲＥＳＯＬＵＴＩＯＮメッセージを前記端末に送信することもできる（Ｓ５）。前記ＲＲＣ  ＣＯＮＴＥＮＴＩＯＮ  ＲＥＳＯＬＵＴＩＯＮメッセージは、前記端末の固有アイデンティティを含むこともできる。
【００５０】
前記端末から前記ＲＲＣ  ＣＯＮＮＥＣＴＩＯＮ  ＲＥＱＵＥＳＴメッセージを受信した後、前記基地局は、ＭＭＥとの接続のためにＣＯＮＮＥＣＴＩＯＮ  ＲＥＱＵＥＳＴメッセージを前記ＭＭＥに送信することもできる（Ｓ６）。前記ＭＭＥは、前記送信されたＣＯＮＮＥＣＴＩＯＮ  ＲＥＱＵＥＳＴメッセージに対する応答としてＣＯＮＮＥＣＴＩＯＮ  ＳＥＴＵＰメッセージを前記基地局に送信することもできる（Ｓ７）。前記基地局は、前記ＭＭＥから前記ＣＯＮＮＥＣＴＩＯ  ＳＥＴＵＰメッセージを受信した後、ＲＲＣ  ＣＯＮＮＥＣＴＩＯＮ  ＳＥＴＵＰメッセージを前記端末に送信することもできる（Ｓ８）。前記端末は、前記ＲＲＣ  ＣＯＮＮＥＣＴＩＯＮ  ＳＥＴＵＰメッセージを受信した後、前記ＲＲＣ接続の完了を通知するためにＲＲＣ  ＣＯＮＮＥＣＴＩＯＮ  ＣＯＭＰＬＥＴＥメッセージを前記基地局に送信することもできる（Ｓ９）。
【００５１】
前記メッセージ２により送信された割り当てられた無線リソースのためのビット数（又は、無線リソースを示す他のパラメータ）が前記ＲＲＣ  ＣＯＮＮＥＣＴＩＯＮ  ＲＥＱＵＥＳＴメッセージ（メッセージ３）を生成するために必要な情報のビット数より少ないか、小さい場合、前記端末は、前記必要な情報の一部のみを含むＲＲＣ  ＣＯＮＮＥＣＴＩＯＮ  ＲＥＱＵＥＳＴメッセージを生成して前記基地局に送信できる。ここで、前記必要な情報の残りの部分は、後で生成されて前記基地局に個別に送信することができる。
【００５２】
図７は、前記ｅＮＢによる無線リソースの提供又は割り当てが十分でない場合のＲＲＣ接続手順を示す。
【００５３】
図７を参照すると、端末（ＵＥ）は、基地局（ｅＮＢ）とのＲＲＣ接続のためにランダムアクセスプリアンブルを送信することもできる（Ｓ１）。前記基地局は、前記送信されたランダムアクセスプリアンブルに対する応答として前記端末にランダムアクセス応答を送信することもできる（Ｓ２）。ここで、前記ランダムアクセス応答は、前記端末によるＲＲＣ  ＣＯＮＮＥＣＴＩＯＮ  ＲＥＱＵＥＳＴメッセージ送信のためのアップリンク無線リソース割り当て情報を含むこともできる。
【００５４】
前記ランダムアクセス応答を受信した後、前記端末は、前記ランダムアクセス応答に含まれる前記アップリンク無線リソースを確認し、前記ＲＲＣ  ＣＯＮＮＥＣＴＩＯＮ  ＲＥＱＵＥＳＴメッセージ送信のために必要なビット数を計算又は判断できる。すなわち、送信される必要のあるビットの数で前記基地局から割り当てられた無線リソースの量を計算又は判断した後、前記ＲＲＣ  ＣＯＮＮＥＣＴＩＯＮ  ＲＥＱＵＥＳＴメッセージ送信のために必要な情報が前記割り当てられた無線リソースにより送信できない場合、前記端末は、必要な情報の一部のみを含む前記ＲＲＣ  ＣＯＮＮＥＣＴＩＯＮ  ＲＥＱＵＥＳＴメッセージを生成することもできる（Ｓ３）。例えば、前記ＲＲＣ  ＣＯＮＮＥＣＴＩＯＮ  ＲＥＱＵＥＳＴ  Ａメッセージは、前記端末と基地局間の接続に必要な情報のみを含むこともできる（すなわち、前記基地局とＭＭＥ間の接続（すなわち、Ｓ１接続）に必要な情報は含まない）。従って、前記基地局とＭＭＥ間の接続に必要な情報は、ＲＲＣ  ＣＯＮＮＥＣＴＩＯＮ  ＲＥＱＵＥＳＴ  Ｂメッセージに生成されるか又は含まれて、後で送信することができる。このような状況で、前記基地局は、前記ＲＲＣ  ＣＯＮＮＥＣＴＩＯＮ  ＲＥＱＵＥＳＴ  Ａメッセージにどの情報が含まれる必要があるか及び／又は前記ＲＲＣ  ＣＯＮＮＥＣＴＩＯＮ  ＲＥＱＵＥＳＴ  Ｂメッセージにどの情報が含まれる必要があるかをＲＲＣ信号により前記端末に通知することもできる。ここで、前記ＲＲＣ信号は、システム情報又はページングメッセージでもよい。
【００５５】
以下、より詳しく説明するために、異なる例を説明する。情報Ａ、Ｂ、及びＣがＲＲＣ  ＣＯＮＮＥＣＴＩＯＮ  ＲＥＱＵＥＳＴメッセージに含まれる必要があり、無線リソースＲ（１）が端末に割り当てられると仮定した場合、この端末は、前記情報Ａのみを利用してＲＲＣ  ＣＯＮＮＥＣＴＩＯＮ  ＲＥＱＵＥＳＴ  Ａを生成して送信し、前記情報Ｂ及びＣを利用してＲＲＣ  ＣＯＮＮＥＣＴＩＯＮ  ＲＥＱＵＥＳＴ  Ｂを生成して送信する。この場合、前記ＲＲＣ  ＣＯＮＮＥＣＴＩＯＮ  ＲＥＱＵＥＳＴ  Ａは、ＲＲＣ  ＣＯＮＮＥＣＴＩＯＮ  ＲＥＱＵＥＳＴ  Ｂの送信に必要な情報を含むこともできる。例えば、ＲＲＣ  ＣＯＮＮＥＣＴＩＯＮ  ＲＥＱＵＥＳＴ  Ａは、必要なビット数、バッファの量、又は無線リソースの量などの、前記ＲＲＣ  ＣＯＮＮＥＣＴＩＯＮ  ＲＥＱＵＥＳＴ  Ｂ生成のための情報を含むこともできる。
【００５６】
前記ＲＲＣ  ＣＯＮＮＥＣＴＩＯＮ  ＲＥＱＵＥＳＴ  Ａ及びＢメッセージを生成した後、前記端末は、まず前記ＲＲＣ  ＣＯＮＮＥＣＴＩＯＮ  ＲＥＱＵＥＳＴ  Ａメッセージを前記基地局に送信することもできる（Ｓ４）。この場合、前記端末は、前記ＲＲＣ  ＣＯＮＮＥＣＴＩＯＮ  ＲＥＱＵＥＳＴ  Ａに含まれる情報のタイプを判断するための所定のアイデンティティを含むこともできる。例えば、情報Ａ、Ｂ、及びＣがＲＲＣ  ＣＯＮＮＥＣＴＩＯＮ  ＲＥＱＵＥＳＴメッセージ（メッセージ３）に含まれる必要があり、１ビットのアイデンティティが利用されている場合、前記アイデンティティが「０」に設定されると、前記基地局は、前記情報Ａ及びＢが前記ＲＲＣ  ＣＯＮＮＥＣＴＩＯＮ  ＲＥＱＵＥＳＴ  Ａに含まれていると判断する。それに対して、前記アイデンティティが「１」に設定されると、前記基地局は、前記情報Ｃのみが前記ＲＲＣ  ＣＯＮＮＥＣＴＩＯＮ  ＲＥＱＵＥＳＴ  Ａに含まれていると判断する。
【００５７】
同時に、同一のプリアンブル（シグネチャ）を有する異なる端末間の衝突の迅速な解消のために、前記基地局は、ＲＲＣ  ＣＯＮＴＥＮＴＩＯＮ  ＲＥＳＯＬＵＴＩＯＮメッセージを前記端末に送信することもできる（Ｓ５）。前記ＲＲＣ  ＣＯＮＴＥＮＴＩＯＮ  ＲＥＳＯＬＵＴＩＯＮメッセージは、前記端末の固有アイデンティティを含むこともできる。また、前記ＲＲＣ  ＣＯＮＴＥＮＴＩＯＮ  ＲＥＳＯＬＵＴＩＯＮメッセージは、ＲＲＣ  ＣＯＮＮＥＣＴＩＯＮ  ＲＥＱＵＥＳＴ  Ｂメッセージの送信のための無線リソース情報（すなわち、時間、周波数、無線リソースの送信フォーマット）を含むこともできる。また、前記基地局は、Ｌ１／Ｌ２制御チャネルで前記ＲＲＣ  ＣＯＮＮＥＣＴＩＯＮ  ＲＥＱＵＥＳＴ  Ｂメッセージの送信のために割り当てられた情報を送信することもできる。
【００５８】
前記端末は、前記ＲＲＣ  ＣＯＮＴＥＮＴＩＯＮ  ＲＥＳＯＬＵＴＩＯＮメッセージ、システム情報、又はＬ１／Ｌ２制御チャネルから取得した無線リソース割り当て情報を利用して前記ＲＲＣ  ＣＯＮＮＥＣＴＩＯＮ  ＲＥＱＵＥＳＴ  Ｂメッセージを前記端末に送信することもできる（Ｓ６）。ここで、段階Ｓ５とＳ６の順序は変えることもできる。すなわち、前記端末は、前記ＲＲＣ  ＣＯＮＴＥＮＴＩＯＮ  ＲＥＳＯＬＵＴＩＯＮメッセージ受信前に前記ＲＲＣ  ＣＯＮＮＥＣＴＩＯＮ  ＲＥＱＵＥＳＴ  Ｂメッセージを送信することもできる。
【００５９】
前記端末から前記ＲＲＣ  ＣＯＮＮＥＣＴＩＯＮ  ＲＥＱＵＥＳＴ  Ａ、Ｂメッセージを受信した後、前記基地局は、ＭＭＥとの接続のためにＣＯＮＮＥＣＴＩＯＮ  ＲＥＱＵＥＳＴメッセージをＭＭＥに送信することもできる（Ｓ７）。前記ＭＭＥは、前記送信されたＣＯＮＮＥＣＴＩＯＮ  ＲＥＱＵＥＳＴメッセージに対する応答としてＣＯＮＮＥＣＴＩＯＮ  ＳＥＴＵＰメッセージを前記基地局に送信することもできる（Ｓ８）。前記基地局は、前記ＭＭＥから前記ＣＯＮＮＥＣＴＩＯＮ  ＳＥＴＵＰメッセージを受信した後、ＲＲＣ  ＣＯＮＮＥＣＴＩＯＮ  ＳＥＴＵＰメッセージを前記端末に送信することもできる（Ｓ９）。前記端末により前記ＲＲＣ  ＣＯＮＮＥＣＴＩＯＮ  ＳＥＴＵＰメッセージを受信した後、前記端末は、ＲＲＣ接続の完了を通知するためにＲＲＣ  ＣＯＮＮＥＣＴＩＯＮ  ＣＯＭＰＬＥＴＥメッセージを前記基地局に送信することもできる（Ｓ１０）。
【００６０】
本発明は、無線通信システムにおけるデータ通信方法を提供し、前記方法は、ランダムアクセスプリアンブルを送信する段階と、前記ランダムアクセスプリアンブルに対する応答として、次のスケジュールされたデータ送信のために利用される少なくとも１つの割り当てられた無線リソースに関する情報を含むランダムアクセス応答を受信する段階と、前記次のスケジュールされたデータの送信のための少なくとも１つの要求される無線リソースを判断する段階と、前記少なくとも１つの割り当てられた無線リソースと前記判断された少なくとも１つの要求される無線リソースの少なくとも１つを考慮して前記次のスケジュールされたデータを生成する段階と、前記少なくとも１つの割り当てられた無線リソースが前記判断された少なくとも１つの要求される無線リソースより大きいか、同一である場合、前記少なくとも１つの割り当てられた無線リソースを利用して前記次のスケジュールされたデータを送信する段階とを含み、ここで、前記次のスケジュールされたデータは、ＲＲＣ  ＣＯＮＮＥＣＴＩＯＮ  ＲＥＱＵＥＳＴメッセージ又は初期アップリンク承認である。前記次のスケジュールされたデータは、ＮＡＳ（NonAccess  Stratum）メッセージを含む。前記ＮＡＳメッセージは、Ａｔｔａｃｈ  Ｒｅｑｕｅｓｔ、Ｒｏｕｔｉｎｇ  Ａｒｅａ  Ｕｐｄａｔｅ  Ｒｅｑｕｅｓｔ、Ｄｅｔａｃｈ  Ｒｅｑｕｅｓｔ、及びＳｅｒｖｉｅ  Ｒｅｑｕｅｓｔの少なくとも１つである。前記次のスケジュールされたデータを生成する段階は、前記判断された少なくとも１つの要求される無線リソースを前記少なくとも１つの割り当てられた無線リソースと比較する段階を含む。前記次のスケジュールされたデータを生成する段階は、前記少なくとも１つの割り当てられた無線リソースが前記判断された少なくとも１つの要求される無線リソースより小さい場合、前記次のスケジュールされたデータを２つ以上のデータグループに分離する段階及び各データグループを個別に送信する段階をさらに含む。第１データグループの前記次のスケジュールされたデータは、端末と基地局間の接続のための情報に関連し、第２データグループの前記次のスケジュールされたデータは、前記基地局と移動性管理エンティティ（ＭＭＥ）間の接続のための情報に関連する。基地局から端末への無線リソース制御（ＲＲＣ）信号は、どのデータグループに前記次のスケジュールされたデータのどの情報が含まれるかを指定する。どのデータグループに前記次のスケジュールされたデータのどの情報が含まれるかに関する情報は、前記端末から送信されるデータの量及び／又は前記ランダムアクセス応答内の割り当てられた無線リソースの量により判断される。前記ＲＲＣ信号は、システム情報又は呼び出しメッセージである。それぞれの分離されたデータグループは、情報のタイプを示すためのアイデンティティを含む。前記少なくとも１つの割り当てられた無線リソース又は前記判断された少なくとも１つの要求される無線リソースは、１つ以上のビット数又は無線リソースを示すパラメータにより定義される。前記次のスケジュールされたデータを生成する段階は、前記判断された少なくとも１つの要求される無線リソースを閾値で確認する段階を含む。前記次��スケジュールされたデータを生成する段階は、前記判断された少なくとも１つの要求される無線リソースが前記閾値より小さい場合、前記判断された少なくとも１つの無線リソースを前記少なくとも１つの割り当てられた無線リソースと比較する段階をさらに含む。
【００６１】
さらに、本発明は、無線通信システムにおけるデータ通信方法を提供し、前記方法は、ランダムアクセスプリアンブルを受信する段階と、前記受信されたランダムアクセスプリアンブルに対する応答として、次のスケジュールされたデータを端末が送信するための少なくとも１つの割り当てられた無線リソースに関する情報を含むランダムアクセス応答を送信する段階と、前記次のスケジュールされたデータを前記端末から受信する段階とを含み、ここで、前記端末は、前記次のスケジュールされたデータを送信するための少なくとも１つの要求される無線リソースを判断し、前記次のスケジュールされたデータは、送信前に前記端末が少なくとも１つの割り当てられた無線リソースと前記判断された少なくとも１つの要求される無線リソースの少なくとも１つを考慮することにより生成される。前記次のスケジュールされたデータは、ＲＲＣ  ＣＯＮＮＥＣＴＩＯＮ  ＲＥＱＵＥＳＴメッセージである。前記次のスケジュールされたデータに含まれるアイデンティティを確認することにより、前記次のスケジュールされたデータがＮＡＳメッセージを含んでいるか否かを判断する段階をさらに含む。前記アイデンティティは、前記次のスケジュールされたデータにどのグループの情報が含まれるかを示すために利用される。前記判断された少なくとも１つの要求される無線リソースは、前記次のスケジュールされたデータを前記端末が生成するために、前記少なくとも１つの割り当てられた無線リソースと比較される。前記次のスケジュールされたデータは、前記少なくとも１つの割り当てられた無線リソースが前記判断された少なくとも１つの要求される無線リソースより小さい場合、２つ以上のデータグループに分離され、各データグループは、個別に受信される。第１データグループの前記次のスケジュールされたデータは、前記端末と基地局間の接続のための情報に関連し、第２データグループの前記次のスケジュールされたデータは、前記基地局と移動性管理エンティティ（ＭＭＥ）間の接続のための情報に関連する。どのデータグループに前記次のスケジュールされたデータのどの情報が含まれるかを指定するために、無線リソース制御（ＲＲＣ）信号を送信する段階をさらに含む。前記ＲＲＣ信号は、システム情報又は呼び出しメッセージである。それぞれの分離されたデータグループは、情報のタイプを示すためのアイデンティティを含む。前記判断された少なくとも１つの要求される無線リソースが閾値と比較され、前記判断された少なくとも１つの要求される無線リソースが前記閾値より小さい場合、前記判断された少なくとも１つの要求される無線リソースは、前記次のスケジュールされたデータを前記端末が生成するために前記少なくとも１つの割り当てられた無線リソースと比較される。前記少なくとも１つの割り当てられた又は前記判断された少なくとも１つの要求される無線リソースは、１つ以上のビット数又は無線リソースを示すパラメータにより定義される。
【００６２】
さらに、本発明は、無線通信システムにおけるデータ通信のための移動端末を提供し、前記移動端末は、前記データを送受信する送受信機と、前記送受信機を介して、又は、外部リソースから送受信された前記データを保存するメモリと、前記送受信機及び前記メモリと連動し、ランダムアクセスプリアンブルを送信する段階、前記ランダムアクセスプリアンブルに対する応答として、次のスケジュールされたデータを送信するために利用される少なくとも１つの割り当てられた無線リソースに関する情報を含むランダムアクセス応答を受信する段階、前記次のスケジュールされたデータを送信するために少なくとも１つの要求される無線リソースを判断する段階、及び前記少なくとも１つの割り当てられた無線リソースと前記判断された少なくとも１つの要求される無線リソースの少なくとも１つを考慮して前記次のスケジュールされたデータを生成する段階を行うプロセッサとを含む。
【００６３】
本発明は、移動通信に関連して説明されたが、無線通信特性（すなわち、インタフェース）を備えたＰＤＡ及びラップトップコンピュータのような移動装置を使用する他の無線通信システムにも適用できる。また、本発明を説明するために使用された特定用語は本発明の権利範囲を特定無線通信システムに限定するものではない。本発明は、さらに、ＴＤＭＡ、ＣＤＭＡ、ＦＤＭＡ、ＷＣＤＭＡ、ＯＦＤＭ、ＥＶ−ＤＯ、Ｗｉ−Ｍａｘ、Ｗｉ−Ｂｒｏなどの他の無線インターフェース及び／又は他の物理層を使用する他の無線通信システムにも適用できる。
【００６４】
本実施形態は、ソフトウェア、ファームウェア、ハードウェア、又はこれらの組み合わせを生産するための標準プログラミング及び／又はエンジニアリング技術を利用して製造方法、装置、又は製造物として実行できる。ここで、「製造物」という用語は、ハードウェアロジック(例えば、集積回路チップ、ＦＰＧＡ(Field  Programmable  Gate  Array)、ＡＳＩＣ(Application  Specific  Integrated  Circuit)など)、コンピュータ可読媒体(例えば、ハードディスクドライブ、フロッピー（登録商標）ディスク、テープなどの磁気記録媒体)、光記録装置(ＣＤ−ＲＯＭ、光ディスクなど)、又は揮発性及び不揮発性メモリ装置(例えば、ＥＥＰＲＯＭ、ＲＯＭ、ＰＲＯＭ、ＲＡＭ、ＤＲＡＭ、ＳＲＡＭ、ファームウェア、プログラムロジックなど)において実行されるコードやロジックを示す。
【００６５】
コンピュータ可読媒体内のコードはプロセッサにより接続及び実行される。本実施形態を実行するコードは伝送媒体を通じて、又はネットワーク上のファイルサーバから接続することもできる。その場合、前記コードが実行される製造物は、ネットワーク伝送ライン、無線伝送媒体、空中を伝播する信号、無線波、赤外線信号などの伝送媒体を含む。もちろん、当該技術分野における通常の知識を有する者であれば、本発明の要旨を逸脱しない範囲においてこのような形態の多様な変形が可能であり、前記製造物が公知の情報伝達媒体（information  bearing  medium）も含むことができるという点を理解すると思われる。
【００６６】
本発明の思想や重要な特性から外れない限り、本発明は多様な形態で実現することができ、前述した実施形態は前述した詳細な記載内容によって限定されるのではなく、添付された請求の範囲に定義された本発明の精神や範囲内で広く解釈されるべきであり、本発明の請求の範囲内で行われるあらゆる変更及び変形、並びに請求の範囲の均等物は本発明の請求の範囲に含まれる。
【図面の簡単な説明】
【００６７】
【図１】従来及び本発明の移動端末が適用される移動通信システムのＥ−ＵＭＴＳのネットワーク構造を示す図である。
【図２】３ＧＰＰ無線アクセスネットワーク規格に基づいた端末とＵＴＲＡＮ間の無線インタフェースプロトコルの制御プレーンの構造を示す図である。
【図３】前記３ＧＰＰ無線アクセスネットワーク規格に基づいた前記端末と前記ＵＴＲＡＮ間の前記無線インタフェースプロトコルのユーザプレーンの構造を示す図である。
【図４】ＵＥとｅＮＢ間の初期接続過程を示す図である。
【図５】割り当てられた無線リソースの不足によるメッセージ３の送信の問題を示す図である。
【図６】前記ｅＮＢによる無線リソースの提供又は割り当てが十分な場合のＲＲＣ接続手順を示す図である。
【図７】前記ｅＮＢによる無線リソースの提供又は割り当てが十分でない場合のＲＲＣ接続手順を示す図である。
【図１】
2009540731.tif 000003
【図２】
2009540731.tif 000004
【図３】
2009540731.tif 000005
【図４】
2009540731.tif 000006
【図５】
2009540731.tif 000007
【図６】
2009540731.tif 000008
【図７】
2009540731.tif 000009
【国際調査報告】
2009540731.tif 000010
2009540731.tif 000011